(57)【要約】【課題】小型で安価でありながら高い性能を有する投射装置を提供すること。【解決手段】書き込み用のアドレッシング光の入射箇所で光学特性が変化する光アドレッシング液晶２０と、アドレッシング光を光アドレッシング液晶２０に入射させて、この光アドレッシング液晶２０上でスキャンさせる書込み部３０と、色分割した各色の読出し光を光アドレッシング液晶２０に時系列的に繰り返して入射させるシーケンシャル照明部４０と、書込み部３０による書込みのタイミングと、照明部４０による読出しのタイミングとを制御する制御装置６０とを備える。【選択図】    図１
2004191839.tif 000002
【特許請求の範囲】
【請求項１】
書き込み用のアドレッシング光の入射箇所で光学特性が変化する空間光変調装置と、
前記アドレッシング光を前記空間光変調装置に入射させて、当該空間光変調装置上でスキャンさせるアドレッシング手段と、
色分割した各色の読出し光を前記空間光変調装置に時系列的に繰り返して入射させるシーケンシャル照明手段と
前記アドレッシング手段による書込みのタイミングと、前記シーケンシャル照明手段による読出しのタイミングとを制御する制御手段と
を備えるプロジェクタ。
【請求項２】
前記空間光変調装置は、前記アドレッシング光によって書き込まれた画像を所定時間保持する保持性を有し、前記制御手段は、前記アドレッシング手段による特定色に関する一画面分の書込みの終了直後に、前記シーケンシャル照明手段による当該特定色の読出しを開始させることを特徴とする請求項１記載のプロジェクタ。
【請求項３】
前記シーケンシャル照明手段は、前記各色に対応する複数の固体発光素子を含み、前記制御手段は、各固体発光素子の点燈及び消灯のタイミングを調節することによって読出しのタイミングを制御することを特徴とする請求項１及び請求項２のいずれか一項記載のプロジェクタ。
【請求項４】
前記制御手段は、フレーム時間を各色の点燈時間で割った稼働率逆数を各固体発光素子の通常の光出力に対し掛けた出力で、当該各固体発光素子を点燈させることを特徴とする請求項３記載のプロジェクタ。
【請求項５】
前記制御手段は、前記固体発光素子は、前記稼働率逆数を前記固体発光素子の連続駆動の定格電流に対し掛けた電流で、前記固体発光素子を点燈させることを特徴とする請求項４記載のプロジェクタ。
【請求項６】
前記空間光変調装置の周辺の所定位置に配置されるとともに、前記アドレッシング光によるスキャン開始とスキャン終了とを当該アドレッシング光の通過に基づいて検出するスキャンセンサをさらに備え、前記制御手段は、前記スキャンセンサの出力に基づいて各固体発光素子の点燈開始及び終了のタイミングを調整することを特徴とする請求項３から請求項５のいずれか記載のプロジェクタ。
【請求項７】
前記アドレッシング手段は、アドレッシング光を発生する光源と、当該光源からのアドレッシング光を偏向するスキャンミラーとを備え、前記制御手段は、前記スキャンミラーの駆動信号に基づいて各固体発光素子の点燈開始及び終了のタイミングと前記アドレッシング光の強度変調タイミングとを調整することを特徴とする請求項３から請求項５のいずれか記載のプロジェクタ。
【請求項８】
前記シーケンシャル照明手段は、前記白色光源とカラーホイールとを含み、前記制御手段は、前記カラーホイールに設けた遮光部分を含み、前記カラーホイールの回転を制御することによって、読出しのタイミングを制御することを特徴とする請求項１及び請求項２のいずれか一項記載のプロジェクタ。
【発明の詳細な説明】
【０００１】
【発明の属する技術分野】
本発明は、光を用いて情報の書き込みを行う液晶ライトバルブ等の空間光変調装置を用いてカラー表示を行うプロジェクタに関する。
【０００２】
【従来の技術】
液晶ライトバルブである空間光変調装置を用いてカラー画像を投影する装置として、例えばメタルハライドランプから射出された読出し光を３つの偏光ビームスプリッタで３原色に分離し、３つの空間光変調装置にそれぞれ導くものが存在する。各空間光変調装置への画像書き込みは、これら３つの空間光変調装置の裏面側に対面配置された３つのＣＲＴに３原色に対応する各画像を形成することによって行われる（例えば、特許文献１等参照）。
【０００３】
また、カラー画像を単一の液晶ライトバルブを用いて形成する投射装置として、液晶ライトバルブの読出し側の光路上に各色のストライプフィルタを配置するものが存在する。この投射装置では、ストライプフィルタの色配列に対応する液晶ライトバルブ上のストライプ領域ごとに各色のビデオ信号を切り換え、かかるビデオ信号によって強度変調されたレーザ光を液晶ライトバルブの書込み側に走査しつつ入射させる（特許文献２参照）。
【０００４】
また、カラー画像を単一の液晶ライトバルブを用いて形成する投射装置として、一対の同期回転する回転カラーフィルタを液晶ライトバルブの書込み側と読出し側に配置して、原稿からのＲＧＢの各色の画像を液晶ライトバルブの全体に時系列で順次書き込みつつ、これと同期して読出しを行うものが存在する（特許文献３参照）。
【０００５】
【特許文献１】
特開平５−３３３３６７号公報
【特許文献２】
特開平５−２０３９０８号公報
【特許文献３】
特開平８−２７８５１２号公報
【０００６】
【発明が解決しようとする課題】
しかし、３つの液晶ライトバルブを用いる第１例の投射装置は、各色ごとに書込み用のＣＲＴ、表示用の液晶ライトバルブ等を設ける必要があり、光学系が大型化するだけでなく、コストの増大を招く。
【０００７】
また、ストライプフィルタの色配列に対応して各色のビデオ信号を切り換えて書込み用のレーザ光を走査する第２例の投射装置では、ストライプフィルタと液晶ライトバルブの対応領域とのアライメントに一定の限界があることに起因して、高い解像度の画像が得られない。
【０００８】
さらに、一対の同期回転する回転カラーフィルタを液晶ライトバルブの書込み側と読出し側とに配置する第３例の投射装置では、実際に画像を形成するもの（例えば原稿やディスプレイ）が不可欠であり、光学系の大型化を招く。また、実際の画像を単に投射するだけであるので、一旦取り込んだ画像をその場で調整したり加工したりすることが容易でない。さらに、この投射装置では、読出し光の照射が終了するまで書込み光を継続して入射させている。このため、液晶ライトバルブが保持特性を有する場合、次の色の書込み完了すなわち書き込みの安定化に要する時間が増大し、読出し時間の全体に占める割合が減少して画像が暗くなる。
【０００９】
そこで、本発明は、小型で安価でありながら高い性能を有する投射装置を提供することを目的とする。
【００１０】
また、本発明は、簡易に高解像度を達成することができる投射装置を提供することを目的とする。
【００１１】
また、本発明は、実在する原画の存在を必要とすることなく、簡易な信号制御によって多様な画像処理が可能な投射装置を提供することを目的とする。さらに、液晶ライトバルブが保持特性を有する場合であっても、明るい画像を投射することができる投射装置を提供することを目的とする。
【００１２】
【課題を解決するための手段】
上記課題を解決するため、本発明に係るプロジェクタは、書き込み用のアドレッシング光の入射箇所で光学特性が変化する空間光変調装置と、アドレッシング光を空間光変調装置に入射させて、この空間光変調装置上でスキャンさせるアドレッシング手段と、色分割した各色の読出し光を空間光変調装置に時系列的に繰り返して入射させるシーケンシャル照明手段と、アドレッシング手段による書込みのタイミングとシーケンシャル照明手段による読出しのタイミングとを制御する制御手段とを備える。ここで、「空間光変調装置」とは、例えば光アドレッシング液晶等の光を用いて情報の書込みを行う液晶ライトバルブに代表される光デバイスであり、▲１▼アドレッシング光が入射する部分すなわちアドレッシング光により特性が変化する部分と、▲２▼読出し光が入射する部分すなわち読出し光を変調する部分とを有している。なお、光を用いて情報の書込みを行う液晶ライトバルブは、空間光増幅素子と称されることもあり、このような空間光増幅素子も「空間光変調装置」に含まれる概念である。
【００１３】
上記プロジェクタでは、アドレッシング手段を利用してアドレッシング光を空間光変調装置上でスキャンさせるので、アドレッシング光の変調によって任意の画像を高速で書き込むことができ、画像の書込み部分を小型化することができる。また、シーケンシャル照明手段が色分割した各色の読出し光を空間光変調装置に時系列的に繰り返して入射させるので、プロジェクタを単一の空間光変調装置のみで構成することができるだけでなく、各色の画面単位で画像の読出しすなわち投射が行われることになり、滑らかで高い解像度のカラー画像を得ることができる。
【００１４】
上記プロジェクタの具体的な態様では、空間光変調装置が、アドレッシング光によって書き込まれた画像を所定時間保持する保持性を有し、照明制御手段が、アドレッシング手段による特定色に関する一画面分の書込みの終了直後に、シーケンシャル照明手段によるこの特定色の読出しを開始させる。この場合、書込み中の画像が表示されることを防止できる。また、空間光変調装置が保持性、すなわちヒステリシス又はメモリ特性を有することを利用して、プロジェクタの省電力化を図ることができる。さらに、次の色の書込みの完了に要する時間を短縮することができるので、各色の画面に関し書込み時間に対する読出し時間の割合を減少させることができ、投射される画像を明るくすることができる。
【００１５】
上記プロジェクタの具体的な態様では、シーケンシャル照明手段が、各色に対応する複数の固体発光素子を含み、制御手段は、各固体発光素子の点燈及び消灯のタイミングを調節することによって読出しのタイミングを制御する。この場合、シーケンシャル照明手段を小型にすることができるだけでなく、各色の読出し光を空間光変調装置に照射するタイミングを自在に、しかも極めて精密に調節することができる。
【００１６】
上記プロジェクタの具体的な態様では、制御手段が、フレーム時間を各色の点燈時間で割ることによって得られる稼働率逆数を各固体発光素子の通常の光出力に対し掛けた出力で、この各固体発光素子を点燈させる。ここで、「フレーム時間」とは、各色を統合した１フレームの繰返し周期に対応する。この場合、各色を時系列的に投射するシーケンシャルな照明でありながら、各固体発光素子を連続点燈した場合の輝度に近い輝度を有する画像を得ることができる。
【００１７】
上記プロジェクタの具体的な態様では、制御手段が、稼働率逆数を固体発光素子の連続駆動の定格電流に対し掛けた電流で、固体発光素子を点燈させる。この場合、各固体発光素子を定格以上に高い輝度で周期的に発光させつつ、全体として定格電流の範囲内で安定して動作させることができる。
【００１８】
上記プロジェクタの具体的な態様では、空間光変調装置の周辺の所定位置に配置されるとともに、アドレッシング光によるスキャン開始とスキャン終了とをこのアドレッシング光の通過に基づいて検出するスキャンセンサをさらに備え、制御手段が、スキャンセンサの出力に基づいて各固体発光素子の点燈開始及び終了のタイミングとアドレッシング光の強度変調タイミングとを調整する。この場合、アドレッシング光のスキャン状態の変動に即応してこれを補償する書込み及び読出しが可能になり、投射される画像の画質を高めることができる。
【００１９】
上記プロジェクタの具体的な態様では、アドレッシング手段が、アドレッシング光を発生する光源と、この光源からのアドレッシング光を偏向するスキャンミラーとを備え、制御手段が、スキャンミラーの駆動信号に基づいて各固体発光素子の点燈開始及び終了のタイミングを調整する。この場合、スキャンミラーの駆動信号を利用してアドレッシング光のスキャン状態の簡易な監視が可能になる。
【００２０】
上記プロジェクタの具体的な態様では、シーケンシャル照明手段が、白色光源とカラーホイールとを含み、制御手段は、カラーホイールに設けた遮光部分を含み、カラーホイールの回転を制御することによって、読出しのタイミングを制御する。この場合、読出し光を照射するための装置部分を比較的簡単な構造とすることができる。
【００２１】
【発明の実施の形態】
〔第１実施形態〕
図１は、第１実施形態に係るプロジェクタ１０の全体構造を概念的に説明するブロック図である。このプロジェクタ１０は、空間光変調装置である光アドレッシング液晶２０と、アドレッシング手段である書込み部３０と、シーケンシャル照明手段である照明部４０と、投射レンズ５０と、制御装置６０とを備える。
【００２２】
図２は、図１に示す光アドレッシング液晶２０の一例を示す断面構造図である。この光アドレッシング液晶２０は、書き込まれた状態を一定期間維持する保持性を有し、一対の平板ガラス２１、２２の間に透明電極２３、２４を介して感光体層２５とミラー層２６と液晶層２７との積層体を挟んだ構造となっている。そして、一対の透明電極２３、２４間には、交流電圧が印加される。
【００２３】
光アドレッシング液晶２０の作製の概要は以下のようなものである。まず、一方の平板ガラス２１上に透明電極２３と感光体層２５とミラー層２６とを順次形成し、他方の平板ガラス２２上に透明電極２４を形成する。その後、両平板ガラス２１、２２をミラー層２６及び透明電極２４側を内側にして対抗させた隙間に、液晶層２７を注入して封入することによって、光アドレッシング液晶２０を完成する。
【００２４】
光アドレッシング液晶２０への書込みに際しては、書込み側である平板ガラス２１の表面に図１の書込み部３０からのアドレッシング光ＡＢが入射し、アドレッシング光ＡＢの入射領域では感光体層２５の導電性が低下する。これにより、この領域の背後にある液晶層２７の対応領域に電圧が印加され、この対応領域の偏光特性が切り替わる。この際、感光体層２５や液晶層２７に一定の保持性を持たせておけば、アドレッシング光ＡＢが通過した後も一定時間以上、液晶層２７の状態すなわち偏光特性を維持することができる。光アドレッシング液晶２０からの読出しに際しては、読出し側である平板ガラス２１の表面に図１の照明部４０からの有色の照明光ＣＬが入射し、ミラー層２６で反射される間に液晶層２７で変調され画像光ＩＬとして出射する。
【００２５】
図１に戻って、書込み部３０は、変調されたレーザ光を発生するレーザ光源３１と、レーザ光源３１からのレーザ光を反射するスキャンミラー３２と、スキャンミラー３２の角度を調節するアクチュエータ３３と、レーザ光源３１やアクチュエータ３３を制御装置６０からの指示に基づいて適宜駆動する駆動ユニット３５とを備える。
【００２６】
ここで、レーザ光源３１については、光アドレッシング液晶２０に設けた感光体層２５のスペクトル特性を考慮して適宜発生波長が選択される。また、スキャンミラー３２は、例えば半導体基板上に薄膜作製プロセスによりアクチュエータ３３と一体的に形成されたＭＥＭＳ（MicroElectroMechanical Systems）素子とすることができ、レーザ光源３１からのアドレッシング光ＡＢを光アドレッシング液晶２０の書込み面２０ａの任意の画素位置に入射させることができ、アドレッシング光ＡＢの高速スキャンを可能にする。なお、このアドレッシング光ＡＢは、レンズ等のビーム整形光学系３８を経て収束され、光アドレッシング液晶２０の書込み面２０ａに微細スポットとして入射する。駆動ユニット３５は、レーザ光源３１の動作を制御して、アドレッシング光ＡＢの強度をＲＢＧの各色の画像の輝度分布に応じて変調する。この際、この駆動ユニット３５は、レーザ光源３１とアクチュエータ３３とを同期させて動作させることができ、アドレッシング光ＡＢが刻々と入射する画素位置に応じてアドレッシング光ＡＢの強度変調を行う。
【００２７】
図３は、光アドレッシング液晶２０の書込み面２０ａにおけるアドレッシング光ＡＢの具体的な走査を説明する図である。アドレッシング光が入射する画素点ＰＰは、±Ｘ方向に高速で主走査され、±Ｙ方向に低速で副走査され、走査全体によって書込み面２０ａの全面に書込みが行われる。
【００２８】
図１に戻って、照明部４０は、固体発光素子である３つの発光ダイオード４１ａ、４１ｂ、４１ｃと、各発光ダイオード４１ａ、４１ｂ、４１ｃを制御装置６０からの指示に基づいて適宜発光させる駆動ユニット４３とを備える。ここで、発光ダイオード４１ａ、４１ｂ、４１ｃは、ＲＧＢの各色をそれぞれ発生する。発光ダイオード４１ａ、４１ｂ、４１ｃからの各色の照明光ＣＬａ、ＣＬｂ、ＣＬｃは、これらに内蔵し或いは外付けした光学系（不図示）を経て一様な分布とされ、偏光フィルタ２５を通過して光アドレッシング液晶２０の読出し面２０ｂに均一に入射する。駆動ユニット４３は、各発光ダイオード４１ａ、４１ｂ、４１ｃの動作を制御して照明光ＣＬａ、ＣＬｂ、ＣＬｃの発光タイミングを調節する。つまり、駆動ユニット４３は、光アドレッシング液晶２０の書込み面２０ａに入射する書込み部３０からのアドレッシング光ＡＢと同期をとって、光アドレッシング液晶２０の読出し面２０ｂをＲＧＢの３原色でカラーシーケンシャルに照明する。
【００２９】
光アドレッシング液晶２０で反射されて偏光フィルタ２５を通過した画像光ＩＬは、各色の画像の輝度分布に応じて変調されたものであり、投射レンズ５０を経てスクリーンＳＣ上に投射され、ここにＲＧＢの３原色が合成されたカラー画像が形成される。
【００３０】
制御装置６０は、プロジェクタ１０の動作を統括的に制御するための制御手段であり、外部から入力されるビデオ信号を適当に加工して、駆動ユニット３５、４３に適当な制御信号を与え、読出しや書込みのタイミング等を制御して、スクリーンＳＣにビデオ信号に対応する表示を行わせる。
【００３１】
図４は、図１のプロジェクタ１０の動作を説明するものであり、制御装置６０に制御された書込み及び読出しを説明するタイミングチャートである。図４（ａ）は、アドレッシング光ＡＢによる書込みのタイミングを示し、図４（ｂ）は、Ｒ色発光ダイオード４１ａの動作すなわち照明光ＣＬａを利用した読出しのタイミングを示し、図４（ｃ）は、Ｇ色発光ダイオード４１ｂの動作すなわち照明光ＣＬｂを利用した読出しのタイミングを示し、図４（ｄ）は、Ｂ色発光ダイオード４１ｃの動作すなわち照明光ＣＬｃを利用した読出しのタイミングを示す。
【００３２】
図４（ａ）に示すように、アドレッシング光ＡＢによる書込みは、１フレーム中に３回あり、同一周期で繰り返される。各色ＲＧＢの書込み時間Ｔｗｒ、Ｔｗｇ、Ｔｗｂは、すべて等しく、アドレッシング光ＡＢによって光アドレッシング液晶２０の全面の走査が完了する時間に設定されている。また、図４（ｂ）〜（ｄ）に示すように、各色ＲＧＢの点燈時間Ｔｒｒ、Ｔｒｇ、Ｔｒｂも、すべて等しくなっており、さらに、光アドレッシング液晶２０に書き込まれた画像が保持される程度の時間に設定されている。なお、フレーム時間Ｔｆが予め定まっているような場合、Ｔｒｒ＝（Ｔｆ−３Ｔｗｒ）／３となるので、この時間に合わせて光アドレッシング液晶２０の保持性を設定することで、各色ＲＧＢの点燈時間Ｔｒｒ、Ｔｒｇ、Ｔｒｂ中において各色ＲＧＢの画像をスクリーンＳＣに効率よく投射することができる。
【００３３】
この際、各色ＲＧＢの書込み終了後に同色ＲＧＢの読出しを開始している。このため、書込み途中の画像が表示されることを防止できる。また、各色ＲＧＢの読出し開始後は、同色ＲＧＢの書込みを行わないので、光アドレッシング液晶２０ひいてはプロジェクタ１０を低電力で駆動することができる。さらに、各色ＲＧＢの読出期間中、同色ＲＧＢの書込みを行わないので、次の色の書込みが安定し易く次の色の書込みに要する時間を短縮することができ、投射される画像を明るくすることができる。
【００３４】
図５は、図４のプロジェクタ１０の動作の変形例を説明するタイミングチャートである。図５（ａ）は、書込みのタイミングを示し、図５（ｂ）は、色Ｒの読出しのタイミングを示し、図５（ｃ）は、色Ｇの読出しのタイミングを示し、図４（ｄ）は、色Ｂの読出しのタイミングを示す。
【００３５】
図５（ｂ）〜図５（ｄ）に示す各色ＲＧＢの読出しタイミングも、図４（ｂ）〜図４（ｄ）に示すものと同様である。ただし、各発光ダイオード４１ａ、４１ｂ、４１ｃの出力すなわち照明光量が図４の場合に比較して数倍程度大きくなっている。ここで、各色の通常の照明光量をＩＮとし、各色の点燈時間をＴｒとすると、各色の照明光量ＩＨは、
ＩＨ＝ＩＮ×（Ｔｆ／Ｔｒ）      …      （式１）
で与えられ、稼働率（Ｔｒ／Ｔｆ）の逆数（Ｔｆ／Ｔｒ）が４程度であれば、ＩＨ＝４ＩＮとなり、各発光ダイオード４１ａ、４１ｂ、４１ｃを通常の４倍程度の強度で発光させることになる。ここで、発光ダイオードは、発光量が電流によって制御されるので、各色の発光ダイオード４１ａ、４１ｂ、４１ｃの定格印加電流をＣＮとすると、各色の発光ダイオード４１ａ、４１ｂ、４１ｃへの印加電流ＣＨは、
ＣＨ＝ＣＮ×（Ｔｆ／Ｔｒ）      …      （式２）
となる。つまり、各発光ダイオード４１ａ、４１ｂ、４１ｃを連続動作させる場合の稼働率逆数（Ｔｒ／Ｔｆ）倍の照明光量を確保できることが分かる。この場合、各色を時系列的に投射するシーケンシャルな照明でありながら、各発光ダイオード４１ａ、４１ｂ、４１ｃによる個別の画像を合成して投影した場合の輝度に近い輝度を有する画像を得ることができる。なお、各発光ダイオード４１ａ、４１ｂ、４１ｃを定格電力以上で動作させることになるが、発光及び消灯が非常に短い周期で繰り返されるので、各発光ダイオード４１ａ、４１ｂ、４１ｃを安定して動作させることができる。
【００３６】
〔第２実施形態〕
以下、第２実施形態に係るプロジェクタについて説明する。第２実施形態のプロジェクタは、第１実施形態の一部を変更したものであるので、変更部分についてのみ説明する。
【００３７】
図６は、光アドレッシング液晶２０及びその周辺の平面図である。光アドレッシング液晶２０の周辺の一対の対角位置には、アドレッシング光ＡＢの通過を検出するスキャンセンサ７１、７２が配置されている。一方のスキャンセンサ７１の位置は、アドレッシング光ＡＢによるスキャン開始位置に対応し、スキャンセンサ７１の出力に基づいてスキャン開始を正確に予測することができる。他方のスキャンセンサ７２の位置は、アドレッシング光ＡＢによるスキャン終了位置に対応し、スキャンセンサ７２の出力に基づいてスキャン終了を正確に予測することができる。
【００３８】
図７は、第２実施形態のプロジェクタの動作を説明するタイミングチャートである。図７（ａ）は、図１等に示す書込み部３０や照明部４０を動作させる際の基本となるフレーム信号を示し、図７（ｂ）は、図６に示すスキャンセンサ７１の出力を示し、図７（ｃ）は、スキャンセンサ７２の出力を示す。また、図７（ｄ）はアドレッシング光による書込みのタイミングを示し、図４（ａ）に対応する。さらに、図７（ｅ）〜（ｇ）は、色Ｒの読出しを示し、図７（ｈ）〜（ｊ）は、色Ｇの読出しを示し、図７（ｋ）〜（ｍ）は、色Ｂの読出しを示す。
【００３９】
この場合に示すように、スキャンセンサ７１の出力（図７（ｂ）参照）は、フレーム信号（図７（ａ）参照）からずれたものとなることがある。このため、レーザ光源３１に変調をかけるタイミング（図７（ｄ）参照）は、スキャンセンサ７１の出力等をトリガとして利用する。
【００４０】
また、図７（ｅ）及び（ｆ）は、図７（ｂ）及び（ｃ）の両スキャンセンサ７１、７２からの両センサ出力をトリガとして得た信号であり、色Ｒの発光ダイオード４１ａを駆動する駆動ユニット４３に入力されて、図４（ｂ）に対応する図７（ｇ）のタイミングでＲ光の点燈が行われる。同様に、図７（ｈ）及び（ｉ）も、両センサ出力をトリガとして得た信号であり、色Ｇの発光ダイオード４１ｂを駆動する駆動ユニット４３に入力されて、図４（ｃ）に対応する図７（ｊ）のタイミングでＧ光の点燈が行われる。同様に、図７（ｋ）及び（ｌ）も、両センサ出力をトリガとして得た信号であり、色Ｂの発光ダイオード４１ｃを駆動する駆動ユニット４３に入力され、図４（ｄ）に対応する図７（ｍ）のタイミングでＢ光の点燈が行われる。
【００４１】
〔第３実施形態〕
以下、第３実施形態に係るプロジェクタについて説明する。第３実施形態のプロジェクタは、第１実施形態の一部を変更したものである。なお、この場合、図１に示すスキャンミラー３２を駆動するアクチュエータ３３としてガルバノ・アクチュエータを用いるガルバノミラー・タイプの書込み部３０となっている。
【００４２】
図８は、第３実施形態のプロジェクタの動作を説明するタイミングチャートである。ここで、図８（ａ）は、副走査用のガルバノ・アクチュエータに印加する電圧波形を示し、図８（ｂ）は、図８（ａ）の印加電圧をコンパレータで２値化した信号を示し、図８（ｃ）は、図８（ｂ）のコンパレータ出力に基づいて間引きを行って遅延時間を与えた遅延信号を示す。この遅延信号は、制御装置６０によって生成される。ここで、コンパレータ出力を間引くのは、ガルバノ・アクチュエータに正又は負の電圧を切替えて印加する区間が３回繰返されると、ＲＧＢの１画面（すなわち１フレーム）の表示サイクルが終了するからである。また、遅延時間を与えるのは、ガルバノミラーの動作の遅れを補償するためのものであり、遅延時間は、ガルバノミラーの慣性等を考慮して適当な値に設定される。図８（ｄ）は、図８（ｃ）の遅延信号の立下がりをトリガとして生成されたフレーム開始信号である。このようなフレーム開始信号に基づいて、図８（ｅ）に示すアドレッシング光による書込みのタイミングと、図８（ｆ）〜（ｈ）に示すＲＧＢの各色に関する読み出しのタイミングとが調整される。
【００４３】
〔第４実施形態〕
以下、第４実施形態に係るプロジェクタについて説明する。第４実施形態のプロジェクタは、第１実施形態の一部を変更したものである。この場合、図１の発光ダイオード４１ａ、４１ｂ、４１ｃや駆動ユニット４３に代えて、カラーホールを用いる。
【００４４】
図９は、第４実施形態のプロジェクタに組み込まれる照明部１４０の構成を説明するブロック図である。この照明部１４０は、照明光を発生するランプ等の白色光源１４５と、この白色光源１４５からの光を時系列的に色分割した照明光ＣＬとして射出させるカラーホイール１４６とを含む。カラーホイール１４６は、図１に示す制御装置６０の制御下で、書込み部３０と同期して動作するモータ（不図示）に駆動されて定速で回転している。
【００４５】
図１０は、カラーホイール１４６の構造を説明する平面図である。図からも明らかなように、カラーホイール１４６には、ＲＧＢの３色に対応する３つのフィルタ領域１４６ａ、１４６ｂ、１４６ｃが形成されている。これらのフィルタ領域１４６ａ、１４６ｂ、１４６ｃの間には、ＮＤフィルタ等の遮光体、又は反射ミラー等からなる３つの同一形状の遮光部分１４６ｄが形成されている。各遮光部分１４６ｄは、中心から３等分した均等な角度方向に配置されている。
【００４６】
カラーホイール１４６の各部は、白色光源１４５の正面を順次通過する。このカラーホイール１４６において、フィルタ領域１４６ａは、図４（ｂ）のＲ光読出しのタイミングに対応し、フィルタ領域１４６ｂは、図４（ｃ）のＧ光読出しのタイミングに対応し、フィルタ領域１４６ｃは、図４（ｄ）のＧ光読出しのタイミングに対応する。そして、３つの遮光部分１４６ｄは、図１に示す書込み部３０によるＲＧＢの各色の書き込みに際しての照明ＯＦＦを実現する。
【００４７】
以上実施形態に即して本発明を説明したが、本発明は上記実施形態に限定されるものではない。例えば、光アドレッシング液晶２０として、感光体層の代わりに光起電力層を備えるものを用いることができる。また、読出し部４０の光源の射出側には偏光変換素子を配置することができ、照明光をほぼ全て偏光光に変換することができる。
【図面の簡単な説明】
【図１】第１実施形態に係るプロジェクタを説明するブロック図である。
【図２】光アドレッシング液晶の一例の断面構造を説明する図である。
【図３】アドレッシング光の具体的な走査を説明する図である。
【図４】（ａ）〜（ｄ）は動作を説明するタイミングチャートである。
【図５】（ａ）〜（ｄ）は変形例のタイミングチャートである。
【図６】第２実施形態のプロジェクタの一部を説明する図である。
【図７】第２実施形態の動作を説明するタイミングチャートである。
【図８】第３実施形態の動作を説明するタイミングチャートである。
【図９】第２実施形態のプロジェクタの一部を説明する図である。
【図１０】カラーホイールの構造を説明する平面図である。
【符号の説明】
１０  プロジェクタ
２０  光アドレッシング液晶
２５  偏光フィルタ
３０  書込み部
３１  レーザ光源
３２  スキャンミラー
３３  アクチュエータ
３５  駆動ユニット
４０  照明部
４１ａ〜４１ｃ  各発光ダイオード
４３  駆動ユニット
５０  投射レンズ
６０  制御装置
７１，７２  スキャンセンサ
１４５  白色光源
１４６  カラーホイール
ＡＢ  アドレッシング光
ＣＬａ〜ＣＬｃ  照明光
【図１】
2004191839.tif 000003
【図２】
2004191839.tif 000004
【図３】
2004191839.tif 000005
【図４】
2004191839.tif 000006
【図５】
2004191839.tif 000007
【図６】
2004191839.tif 000008
【図７】
2004191839.tif 000009
【図８】
2004191839.tif 000010
【図９】
2004191839.tif 000011
【図１０】
2004191839.tif 000012